(57)【要約】【課題】  本発明は、外部からの振動を検出し、検出結果に応じて所定の安全動作を実行するプロジェクタを提供することを目的とする。【解決手段】  本発明によるプロジェクタは、被投写体（スクリーン）に映像を投写するプロジェクタ２４であって、加速（衝撃、地震）などの振動を検出する加速度検出器１と、加速度検出器１による検出結果に応じて自動的に起動され、所定の安全動作を実行する安全機能部（電源制御部３）とを備え、外部からの振動を電源制御部３が検出し、その検出結果に応じて電源部４の電源が待機状態になるなどの所定の安全動作を実行することを特徴とする。【選択図】図１
2008180837.tif 000002
【特許請求の範囲】
【請求項１】
被投写体に映像を投写するプロジェクタであって、
振動を検出する加速度検出器と、
前記加速度検出器による検出結果に応じて自動的に起動され、所定の安全動作を実行する安全機能部と、
を備えることを特徴とする、プロジェクタ。
【請求項２】
電気回路に電力を供給する電源部と、
前記安全機能部が配備され、前記電源部を制御する電源制御部と、
をさらに備え、
前記所定の安全動作は、前記加速度検出器による検出結果に応じて前記電源部を待機状態に制御する動作であることを特徴とする、請求項１に記載のプロジェクタ。
【請求項３】
光源用ランプと、
前記光源用ランプに電力を供給するランプ電源部と、
前記安全機能部が配備され、前記ランプ電源部を制御するランプ電源制御部と、
をさらに備え、
前記所定の安全動作は、前記加速度検出器による検出結果に応じて前記ランプ電源部を切断するように制御する動作であることを特徴とする、請求項１に記載のプロジェクタ。
【請求項４】
電気回路に電力を供給する電源部と、
前記安全機能部が配備され、前記電源部を制御する電源制御部と、
をさらに備え、
前記所定の安全動作は、前記加速度検出器による検出結果に応じて前記電源部を切断状態に制御する動作であることを特徴とする、請求項１に記載のプロジェクタ。
【請求項５】
前記被投写体に映像を表示させる画像表示部と、
前記安全機能部が配備され、前記画像表示部を制御する画像制御部と、
をさらに備え、
前記所定の安全動作は、前記加速度検出器による検出結果に応じて登録済みの画像データを前記画像表示部に表示させるように制御する動作であることを特徴とする、請求項１に記載のプロジェクタ。
【請求項６】
前記被投写体に映像を表示させる画像表示部と、
前記安全機能部が配備され、前記画像表示部を制御する画像制御部と、
をさらに備え、
前記所定の安全動作は、前記加速度検出器による検出結果に応じて外部から入力される所定の画像データを前記画像表示部に表示させるように制御する動作であることを特徴とする、請求項１に記載のプロジェクタ。
【請求項７】
プロジェクタの動作状態を表示する動作表示部と、
前記安全機能部が配備され、前記動作表示部を制御する制御部と、
をさらに備え、
前記所定の安全動作は、前記加速度検出器による検出結果に応じて前記動作表示部により警告を知らせるように制御する動作であることを特徴とする、請求項１に記載のプロジェクタ。
【請求項８】
請求項１に記載のプロジェクタであって、請求項２ないし請求項７にそれぞれ記載の構成を複数備えることを特徴とする、プロジェクタ。
【発明の詳細な説明】
【技術分野】
【０００１】
本発明はプロジェクタに関し、特に、外部からの振動を検出した結果に基づいて制御を行なうプロジェクタに関する。
【背景技術】
【０００２】
図１５に示すように、以前は、投写角度２３に傾けたプロジェクタ２４から投写される映像２１は、角度をつけずに投射した映像２２に比べて映像が台形に歪んでしまうといった問題があった。
【０００３】
この問題に対して、プロジェクタ２４から投写された映像が正常な四角の映像となるように、投写された台形の映像と逆の台形に歪ませることによって映像を正常な四角にする補正（キーストン補正）を行なっていた。このキーストン補正は使用者が手動で調整していたが、プロジェクタ２４に変位や加速度を検出する加速度検出器を備え、プロジェクタ２４にかかる重力と投写角度２３とを検出することによって、光を変調する素子（例えば、液晶パネル、ＤＭＤチップなど）に表示される台形に歪んだ映像を、自動的に正常な四角の映像に補正することが可能となる。
【０００４】
このような従来のプロジェクタでは、加速度検出器はプロジェクタの変位を測定してキーストン補正をするために備えられており、プロジェクタに対する振動や衝撃などの加速についての測定は行なわれなかった。例えば、地震などの振動や衝撃によるプロジェクタの発煙発火の危険性を防止する方法としては、プロジェクタ本体または取扱説明書に、プロジェクタの電源を切断するか、または「万一異常が発生したときは、電源プラグをすぐ抜く！！」という注意書きをすることによって、使用者自らが電源の切断作業を行なう必要があった。
【０００５】
しかし、このような方法では、注意書きを読解できなかった使用者（例えば、子供や幼児など）、注意書きを読み損じた使用者（例えば、視聴者や取扱者など）、公共の場でプロジェクタを使用することによる映像公開（例えば、映画など）を視聴している観客、そして地震発生時に平常の状態ではなかった場合の使用者（例えば、視聴者や取扱者など）にとっては、地震発生時にはプロジェクタの電源を切り忘れる可能性があり、そのことが火災や感電などにつながる恐れがあった。また、プロジェクタが耐震設計されていた場合でも、視聴者や利用者に対して明確な避難通路の指示などがなされないために、これらの人々が逃げ遅れる可能性があった。
【０００６】
以上のような地震発生時における従来のプロジェクタの対策として、外部から通信回線を介して送られてくる災害発生情報を受信し、プロジェクタによって避難通路の表示を行なっているものがある（例えば、特許文献１参照）。また、所定の周波数の電波を用いた無線通信によって警報通知信号を受信し、発光、発音、振動などの手段によって使用者に知らせているものもある（例えば、特許文献２参照）。そして、備えられた地震計で計測されたデータを電波によって防災センターなどに送信するシステムをプロジェクタを用いた広告媒体送信システムに利用する方法がある（例えば、特許文献３参照）。
【０００７】
【特許文献１】特開２００４−３２９３９０号公報
【特許文献２】特開２００６−１３５７８９号公報
【特許文献３】特開２００１−３３１１３８号公報
【発明の開示】
【発明が解決しようとする課題】
【０００８】
しかし、従来の特許文献１および特許文献２に記載のプロジェクタは、地震を検出する手段を備えていないため、プロジェクタのみで地震の発生を知らせることができない。また、特許文献３に記載のプロジェクタは、地震を検出する手段を備えているが、検出した信号を外部に送信しているため、プロジェクタのみで地震の発生を知らせることができない。
【０００９】
本発明は、このような問題を解決するためになされたもので、外部からの振動を検出し、検出結果に応じて所定の安全動作を実行するプロジェクタを提供することを目的とする。
【課題を解決するための手段】
【００１０】
上記の課題を解決するために、本発明によるプロジェクタは、被投写体に映像を投写するプロジェクタであって、振動を検出する加速度検出器と、加速度検出器による検出結果に応じて自動的に起動され、所定の安全動作を実行する安全機能部とを備えることを特徴とする。
【発明の効果】
【００１１】
本発明は、請求項１に記載のように、振動を検出する加速度検出器と、加速度検出器による検出結果に応じて自動的に起動され、所定の安全動作を実行する安全機能部とを備えることを特徴とするため、外部からの振動を検出し、検出結果に応じて所定の安全動作を実行するプロジェクタの提供が可能である。
【発明を実施するための最良の形態】
【００１２】
本発明の実施形態について、図面に基づいて以下に説明する。
【００１３】
〈実施形態１〉
図１は、本発明の実施形態１による、スクリーン等の被投写体に映像を投写するプロジェクタの概略ブロック図である。図１に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。電源制御部３には、加速度検出器１による検出結果に応じて自動的に起動されて所定の安全動作を実行する安全機能部が備えられており、フィルタ２から入力される電圧を定期的に測定して測定結果に応じて電源部４に制御信号を送信することによって電源部４を制御している。測定時、入力電圧が設定した電圧範囲内であれば、電源部４はＯＮ状態であり、入力電圧が設定した電圧範囲外のときには、電源部４を待機状態に制御する。電源部４は電気回路に電力を供給するために備えられている。
【００１４】
なお、図１６に示すように、加速度検出器１、フィルタ２、電源制御部３、電源部４の各々はプロジェクタの内部に備えられており、プロジェクタ内部であればどこに配置されても問題なく動作するため、電源制御部３と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００１５】
図２は、本発明の実施形態１によるプロジェクタにおける動作処理のフローチャートである。図２に示される記号について以下に説明する。Ｖ０は外部から加速度検出器１に加えられた振動に応じた電圧をフィルタ２を通して出力される電圧であり、Ｖ１は外部からプロジェクタに振動が加えられてもプロジェクタの誤動作、故障、破壊から保証される電圧Ｖ０の範囲である。Ｔ０は処理全体にかかる時間で、プロジェクタに電源が供給されるときに初期設定として０と設定される。Ｔ１はフィルタ２から出力される電圧Ｖ０を測定する時間の間隔である。
【００１６】
次に、本発明の実施形態１の全体の動作処理について説明する。
【００１７】
ステップＳ１００で、プロジェクタに電源が供給されて処理が開始される。
【００１８】
ステップＳ１０１では、電源制御部３においてＴ０＝０の初期設定が行なわれ、ステップＳ１０２に移行する。
【００１９】
ステップＳ１０２では、電源制御部３においてＴ０とＴ１とを比較し、Ｔ０≧Ｔ１の条件を満足しているのかの判定を行なう。ステップＳ１０２で条件を満足していなければステップＳ１０３に移行して条件が満足するまで時間を加算していく。一方、ステップＳ１０２で条件を満足している場合はステップＳ１０４に移行する。
【００２０】
ステップＳ１０４では、電源制御部３においてＴ０＝０に設定する。すなわち、Ｔ０の時間をリセットしている。Ｔ０＝０の設定後、ステップＳ１０５に移行する。
【００２１】
ステップＳ１０５では、電源制御部３においてＶ０の測定を行なう。その後、測定したＶ０とＶ１との比較を行い、Ｖ０がＶ１の電圧範囲内であれば振動は小さいと判断してステップＳ１０２に移行する。一方、Ｖ０がＶ１の電圧範囲外であれば振動は大きいと判断してステップＳ１０６に移行する。
【００２２】
ステップＳ１０６において、電源部４が待機状態になるように電源制御部３から電源部４へ制御信号が送信されてステップＳ１０７に移行する。
【００２３】
ステップＳ１０７では、電源部４が電源制御部３から送信されてきた制御信号を受信して待機状態になる。そして、ステップＳ１０８で処理が終了する。
【００２４】
以上のことから、加速度検出器１による検出結果に応じて電源部４を待機状態に制御する安全動作を電源制御部３が実行することによって、火災や感電などの危険から使用者（視聴者および取扱者）を保護することが可能となる。
【００２５】
〈実施形態２〉
図３は、本発明の実施形態２による、スクリーン等の被投写体に映像を投写するプロジェクタの概略ブロック図である。図３に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。ランプ電源制御部５には、加速度検出器１による検出結果に応じて自動的に起動されて所定の安全動作を実行する安全機能部が備えられており、フィルタ２から入力される電圧を定期的に測定して測定結果に応じてランプ電源部６に制御信号を送信することによってランプ電源部６を制御している。測定時、入力電圧が設定した電圧範囲内であれば、ランプ電源部６へ電力が供給されて光源用ランプ７は点灯する。一方、入力電圧が設定した電圧範囲外のときには、ランプ電源部６への電力の供給を切断して光源用ランプ７を消灯する。ランプ電源部６は光源用ランプ７に電力を供給するために備えられている。光源用ランプ７は、プロジェクタの光源であり、ランプ電源６から電力が供給されている。
【００２６】
なお、加速度検出器１、フィルタ２、ランプ電源制御部５、ランプ電源部６、光源用ランプ７の各々はプロジェクタの内部に備えられており、プロジェクタ内部であればどこに配置されても問題なく動作するため、ランプ電源制御部５と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００２７】
図４は、本発明の実施形態２によるプロジェクタにおける動作処理のフローチャートである。図４に示される記号の説明については、実施形態１における説明と同様であるためここでは省略する。
【００２８】
次に、本発明の実施形態２の全体の動作処理について説明する。
【００２９】
ステップＳ２００で、プロジェクタに電源が供給されて処理が開始される。
【００３０】
ステップＳ２０１では、ランプ電源制御部５においてＴ０＝０の初期設定が行なわれ、ステップＳ２０２に移行する。
【００３１】
ステップＳ２０２では、ランプ電源制御部５においてＴ０とＴ１とを比較し、Ｔ０≧Ｔ１の条件を満足しているかの判定を行なう。ステップＳ２０２で条件を満足していなければステップＳ２０３に移行して条件が満足するまで時間を加算していく。一方、ステップＳ２０２で条件を満足している場合はステップＳ２０４に移行する。
【００３２】
ステップＳ２０４では、ランプ電源制御部５においてＴ０＝０に設定する。すなわち、Ｔ０の時間をリセットしている。Ｔ０＝０の設定後、ステップＳ２０５に移行する。
【００３３】
ステップＳ２０５では、ランプ電源制御部５においてＶ０の測定を行なう。その後、測定したＶ０とＶ１との比較を行い、Ｖ０がＶ１の電圧範囲内であれば振動は小さいと判断してステップＳ２０２に移行する。一方、Ｖ０がＶ１の電圧範囲外であれば振動は大きいと判断してステップＳ２０６に移行する。
【００３４】
ステップＳ２０６において、ランプ電源部６が切断状態になるようにランプ電源制御部５からランプ電源部６へ制御信号が送信されてステップＳ２０７に移行する。
【００３５】
ステップＳ２０７では、ランプ電源部６がランプ電源制御部５から送信されてきた制御信号を受信して切断状態になる。その結果、光源用ランプ７へ供給する電力が切断される。そして、ステップＳ２０８で光源用ランプ７が消灯し、ステップＳ２０９で処理が終了する。
【００３６】
以上のことから、加速度検出器１による検出結果に応じてランプ電源部６を切断するように制御する安全動作をランプ電源制御部５が実行することによって、火災や感電などの危険から使用者（視聴者および取扱者）を保護することが可能となる。
【００３７】
〈実施形態３〉
図５は、本発明の実施形態３による、スクリーン等の被投写体に映像を投写するプロジェクタの概略ブロック図である。図５に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。電源制御部Ａ８には、加速度検出器１による検出結果に応じて自動的に起動されて所定の安全動作を実行する安全機能部が備えられており、フィルタ２から入力される電圧を定期的に測定して測定結果に応じて電源部Ａ９に制御信号を送信することによって電源部Ａ９を制御している。測定時、入力電圧が設定した電圧範囲内であれば、電源部Ａ９はＯＮ状態であり、入力電圧が設定した電圧範囲以外のときには、電源部Ａ９を待機状態に制御する。電源部Ａ９は電気回路に電力を供給するために備えられている。
【００３８】
なお、加速度検出器１、フィルタ２、電源制御部Ａ８、電源部Ａ９の各々はプロジェクタの内部に備えられており、プロジェクタ内部であればどこに配置されても問題なく動作するため、電源制御部Ａ８と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００３９】
図６は、本発明の実施形態３によるプロジェクタにおける動作処理のフローチャートである。図６に示される記号の説明については、実施形態１における説明と同様であるためここでは省略する。
【００４０】
次に、本発明の実施形態３の全体の動作処理について説明する。
【００４１】
ステップＳ３００で、プロジェクタに電源が供給されて処理が開始される。
【００４２】
ステップＳ３０１では、電源制御部Ａ８においてＴ０＝０の初期設定が行なわれ、ステップＳ３０２に移行する。
【００４３】
ステップＳ３０２では、電源制御部Ａ８においてＴ０とＴ１とを比較し、Ｔ０≧Ｔ１の条件を満足しているかの判定を行なう。ステップＳ３０２で条件を満足していなければステップＳ３０３に移行して条件が満足するまで時間を加算していく。一方、ステップＳ３０２で条件を満足している場合はステップＳ３０４に移行する。
【００４４】
ステップＳ３０４では、電源制御部Ａ８においてＴ０＝０に設定する。すなわち、Ｔ０の時間をリセットしている。Ｔ０＝０の設定後、ステップＳ３０５に移行する。
【００４５】
ステップＳ３０５では、電源制御部Ａ８においてＶ０の測定を行なう。その後、測定したＶ０とＶ１との比較を行い、Ｖ０がＶ１の電圧範囲内であれば振動は小さいと判断してステップステップＳ３０２に移行する。一方、Ｖ０がＶ１の電圧範囲内であれば振動は小さいと判断してステップＳ３０６に移行する。
【００４６】
ステップＳ３０６において、電源部Ａ９が切断状態になるように電源制御部Ａ８から電源部Ａ９へ制御信号が送信されてステップＳ３０７に移行する。
【００４７】
ステップＳ３０７では、電源部Ａ９が電源制御部Ａ８から送信されてきた制御信号を受信して切断状態になる。
【００４８】
ステップＳ３０８では、電源制御部Ａ８を含めて各回路へ供給される電力が切断される。そして、ステップＳ３０９で処理が終了する。
【００４９】
以上のことから、加速度検出器１による検出結果に応じて電源部Ａ９を切断状態に制御する安全動作を電源制御部Ａ８が実行することによって、火災や感電などの危険から使用者（視聴者および取扱者）を保護することが可能となる。
【００５０】
〈実施形態４〉
図７は、本発明の実施形態４による、スクリーン等の被投写体に映像を投写するプロジェクタの概略ブロック図である。図７に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。画像制御部１０には、加速度検出器１による検出結果に応じて自動的に起動されて所定の安全動作を実行する安全機能部が備えられており、フィルタ２から入力される電圧を定期的に測定して測定結果に応じて画像表示部１１に制御信号を送信することによって画像表示部１１を制御している。測定時、入力電圧が設定した電圧範囲内であれば、プロジェクタの外部からの映像信号の画像データであるＰＩＣＴＵＲＥ＿Ａを画像表示部１１に送っている。一方、入力電圧が設定した電圧範囲外のときには、登録済みの画像データであるＰＩＣＴＵＲＥ＿Ｂ（避難通路誘導表示、地震が発生したことを知らせる表示、衝撃が加わったことを知らせる表示）を画像表示部１１へ送信する。画像表示部１１は被投写体であるスクリーンに映像を投写して表示させるために備えられている。
【００５１】
なお、加速度検出器１、フィルタ２、画像制御部１０の各々はプロジェクタの内部に備えられており、プロジェクタ内部であればどこに配置されても問題なく動作するため、画像制御部１０と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００５２】
図８は、本発明の実施形態４によるプロジェクタにおける動作処理のフローチャートである。図８に示される記号について説明する。Ｖ０、Ｖ１、Ｔ０、Ｔ１については実施形態１における説明と同様である。ＰＩＣＴＵＲＥ＿Ａは、画像制御部１０に入力されるプロジェクタの外部からの映像信号の画像データであり、ＰＩＣＴＵＲＥ＿Ｂは、登録済みの画像データである。
【００５３】
次に、本発明の実施形態４の全体の動作処理について説明する。
【００５４】
ステップＳ４００で、プロジェクタに電源が供給されて処理が開始される。
【００５５】
ステップＳ４０１では、画像制御部１０においてＴ０＝０の初期設定が行なわれ、ステップＳ４０２に移行する。
【００５６】
ステップＳ４０２では、画像制御部１０が画像データであるＰＩＣＴＵＲＥ＿Ａを画像表示部１１に送る。
【００５７】
ステップＳ４０３では、画像表示部１１が画像制御部１０から入力されたＰＩＣＴＵＲＥ＿Ａをスクリーンに投写してステップＳ４０４に移行する。
【００５８】
ステップＳ４０４では、画像制御部１０においてＴ０とＴ１とを比較し、Ｔ０≧Ｔ１の条件を満足しているかの判定を行なう。ステップＳ４０４で条件を満足していなければステップＳ４０５に移行して条件が満足するまで時間を加算していく。一方、ステップＳ４０４で条件を満足している場合はステップＳ４０６に移行する。
【００５９】
ステップＳ４０６では、画像制御部１０においてＴ０＝０に設定する。すなわち、Ｔ０の時間をリセットしている。Ｔ０＝０の設定後、ステップＳ４０７に移行する。
【００６０】
ステップＳ４０７では、画像制御部１０においてＶ０の測定を行なう。その後、測定したＶ０とＶ１との比較を行い、Ｖ０がＶ１の電圧範囲内であれば振動は小さいと判断してステップＳ４０４に移行する。一方、Ｖ０がＶ１の電圧範囲外であれば振動は大きいと判断してステップＳ４０８に移行する。
【００６１】
ステップＳ４０８において、画像制御部１０はＰＩＣＴＵＲＥ＿Ａの代わりにＰＩＣＴＵＲＥ＿Ｂの画像データを画像表示部１１に送る。
【００６２】
ステップＳ４０９において、画像表示部１１は画像制御部１０から受け取ったＰＩＣＴＵＲＥ＿Ｂをスクリーンに投写し、ステップＳ４１０で処理が終了する。
【００６３】
以上のことから、加速度検出器１による検出結果に応じて登録済みの画像データ（避難通路誘導表示、地震が発生したことを知らせる表示、衝撃が加わったことを知らせる表示など）を画像表示部１１に表示させるように制御する安全動作を画像表示部１０が実行することによって、例えば公共の場でプロジェクタを使用することによる映像公開（映画など）を視聴している観客、そして地震発生時に平常の状態ではなかった場合の使用者（視聴者および取扱者など）にとって、明確な避難通路指示がなされて避難の手助けとなる。
【００６４】
〈実施形態５〉
図９は、本発明の実施形態５による、スクリーン等の被投写体に映像を投写するプロジェクタの概略ブロック図である。図９に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。画像制御部Ａ１２には、加速度検出器１による検出結果に応じて自動的に起動されて所定の安全動作を実行する安全機能部が備えられており、フィルタ２から入力される電圧を定期的に測定して測定結果に応じて画像表示部Ａ１３に制御信号を送信することによって画像表示部Ａ１３を制御している。測定時、入力電圧が設定した電圧範囲内であれば、プロジェクタの外部からの映像信号の画像データであるＰＩＣＴＵＲＥ＿Ｃ１４を画像表示部Ａ１３に送っている。一方、入力電圧が設定した電圧範囲外のときには、プロジェクタの外部から入力される所定の画像データであるＰＩＣＴＵＲＥ＿Ｄ１５（テレビ放送の地震速報、使用者が設定した画像）を画像表示部Ａ１３へ送信する。画像表示部Ａ１３はスクリーンに映像を投写して表示させるために備えられている。
【００６５】
なお、加速度検出器１、フィルタ２、画像制御部Ａ１２の各々はプロジェクタの内部に備えられており、プロジェクタ内部であればどこに配置されても問題なく動作するため、画像制御部Ａ１２と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００６６】
図１０は、本発明の実施形態５によるプロジェクタにおける動作処理のフローチャートである。図１０に示される記号について説明する。Ｖ０、Ｖ１、Ｔ０、Ｔ１については実施形態１における説明と同様である。ＰＩＣＴＵＲＥ＿Ｃは、画像制御部Ａ１２に入力されるプロジェクタの外部からの映像信号の画像データであり、ＰＩＣＴＵＲＥ＿Ｄは、外部から入力される所定の画像データである。
【００６７】
次に、本発明の実施形態５の全体の動作処理について説明する。
【００６８】
ステップＳ５００で、プロジェクタに電源が供給されて処理が開始される。
【００６９】
ステップＳ５０１では、画像制御部Ａ１２においてＴ０＝０の初期設定が行なわれ、ステップＳ５０２に移行する。
【００７０】
ステップＳ５０２では、画像制御部Ａ１２が画像データであるＰＩＣＴＵＲＥ＿Ｃ１４を画像表示部Ａ１３に送る。
【００７１】
ステップＳ５０３では、画像表示部Ａ１３が画像制御部Ａ１２から入力されたＰＩＣＴＵＲＥ＿Ｃ１４をスクリーンに投写してステップＳ５０４に移行する。
【００７２】
ステップＳ５０４では、画像制御部Ａ１２においてＴ０とＴ１とを比較し、Ｔ０≧Ｔ１の条件を満足しているかの判定を行なう。ステップＳ５０４で条件を満足していなければステップＳ５０５に移行して条件が満足するまで時間を加算していく。一方、ステップＳ５０４で条件を満足している場合はステップＳ５０６に移行する。
【００７３】
ステップＳ５０６では、画像制御部Ａ１２においてＴ０＝０に設定する。すなわち、Ｔ０の時間をリセットしている。Ｔ０＝０の設定後、ステップＳ５０７に移行する。
【００７４】
ステップＳ５０７では、画像制御部Ａ１２においてＶ０の測定を行なう。その後、測定したＶ０とＶ１との比較を行い、Ｖ０がＶ１の電圧範囲内であれば振動は小さいと判断してステップＳ５０４に移行する。一方、Ｖ０がＶ１の電圧範囲外であれば振動は大きいと判断してステップＳ５０８に移行する。
【００７５】
ステップＳ５０８において、画像制御部Ａ１２はＰＩＣＴＵＲＥ＿Ｃ１４の代わりにＰＩＣＴＵＲＥ＿Ｄ１５の画像データを画像表示部Ａ１３に送る。
【００７６】
ステップＳ５０９において、画像表示部Ａ１３は画像制御部Ａ１２から受け取ったＰＩＣＴＵＲＥ＿Ｄ１５をスクリーンに投写し、ステップＳ５１０で処理が終了する。
【００７７】
以上のことから、加速度検出器１による検出結果に応じて外部から入力される所定の画像データ（テレビ放送の地震速報、使用者が設定した画像）を画像表示部Ａ１３に表示させるように制御する安全動作を画像表示部Ａ１３が実行することによって、例えば公共の場でプロジェクタを使用することによる映像公開（映画など）を視聴している観客、そして地震発生時に平常の状態ではなかった場合の使用者（視聴者および取扱者など）にとって、情報を早く得ることができるので避難の手助けとなる。
【００７８】
〈実施形態６〉
図１１は、本発明の実施形態６によるプロジェクタの概略ブロック図である。図１１に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。制御部１６には、加速度検出器１による検出結果に応じて自動的に起動されて所定の安全動作を実行する安全機能部が備えられており、フィルタ２から入力される電圧を定期的に測定して測定結果に応じて製品動作表示部１７に制御信号を送信することによって製品動作表示部１７を制御している。測定時、入力電圧が設定した電圧範囲内であれば、製品動作表示部１７は正常に映像データを表示していることを示す緑色を表示し、入力電圧が設定した電圧範囲外のときには、プロジェクタの外部から振動が加わったことを示す赤色の点滅（例えば、１秒間点灯後に１秒間消灯するという動作の繰り返し）を表示するように制御する。製品動作表示部１７は製品（プロジェクタなど）の動作状態を表示するために備えられている。
【００７９】
なお、加速度検出器１、フィルタ２、制御部１６、製品動作表示部１７の各々はプロジェクタの内部に備えられており、プロジェクタ内部であればどこに配置されても問題なく動作するため、制御部１６と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００８０】
図１２は、本発明の実施形態６によるプロジェクタにおける動作処理のフローチャートである。図１２に示される記号の説明については、実施形態１における説明と同様であるためここでは省略する。
【００８１】
次に、本発明の実施形態６の全体の動作処理について説明する。
【００８２】
ステップＳ６００で、プロジェクタに電源が供給されて処理が開始される。
【００８３】
ステップＳ６０１では、制御部１６においてＴ０＝０の初期設定が行なわれ、ステップＳ６０２に移行する。
【００８４】
ステップＳ６０２では、制御部１６は正常に映像データを表示していることを示すために緑色の表示をするように、製品動作表示部１７に制御信号を送る。
【００８５】
ステップＳ６０３では、製品動作表示部１７は制御部１６から受け取った制御信号によって緑色を表示する。
【００８６】
ステップＳ６０４では、制御部１６においてＴ０とＴ１とを比較し、Ｔ０≧Ｔ１の条件を満足しているかの判定を行なう。ステップＳ６０４で条件を満足していなければステップＳ６０５に移行して条件が満足するまでの時間を加算していく。一方、ステップＳ６０４で条件を満足している場合はステップＳ６０６に移行する。
【００８７】
ステップＳ６０６では、制御部１６においてＴ０＝０に設定する。すなわち、Ｔ０の時間をリセットしている。Ｔ０＝０の設定後、ステップＳ６０７に移行する。
【００８８】
ステップＳ６０７では、電源部１６においてＶ０の測定を行なう。その後、測定したＶ０とＶ１との比較を行い、Ｖ０がＶ１の電圧範囲内であれば振動は小さいと判断してステップ６０４に移行する。一方、Ｖ０がＶ１の電圧範囲外であれば振動は大きいと判断してステップ６０８に移行する。
【００８９】
ステップＳ６０８において、正常に映像データを表示していることを示す緑色の代わりに、加速（衝撃、地震）などの振動が加わったことを示す赤色の点滅（例えば、１秒間点灯後に１秒間消灯するという動作の繰り返し）を表示するように制御する。
【００９０】
ステップＳ６０９では、製品動作表示部１７が制御部１６から送信されてきた制御信号を受信して赤色の点滅を始める。そして、ステップＳ６１０で処理が終了する。
【００９１】
以上のことから、加速度検出器１による検出結果に応じて動作表示部１７によって警告を知らせるように制御する安全動作を制御部１６が実行することによって、例えば公共の場でプロジェクタを使用することによる映像公開（映画など）を視聴している観客、そして地震発生時に平常の状態ではなかった場合の使用者（視聴者および取扱者など）にとって、情報を早く得ることができるので避難の手助けとなる。また、ユーザに対して故障の原因が容易に推測できる情報の提供が可能となる。
【００９２】
〈実施形態７〉
図１３は、本発明の実施形態７による、スクリーン等の被投写体に映像を投写するプロジェクタの概略ブロック図である。図１３に示すように、加速度検出器１は、外部から加えられた加速（衝撃、地震）などの振動に応じた電圧をフィルタ２に出力する。フィルタ２では、加速度検出器１から入力した電圧に混在しているノイズ成分を除去する。ここで、フィルタ２はデジタル処理によって周波数０．５〜１０Ｈｚの範囲で地震動の加速度と速度との中間の波形に相当するものを求めている。制御部Ａ１８には、加速度検出器１による検出結果に応じて自動的に起動されて所定の安全動作を実行する安全機能部が備えられており、フィルタ２から入力される電圧を定期的に測定して測定結果に応じて画像表示部Ｂ１９に制御信号を送信することによって画像表示部Ｂ１９を制御している。測定時、入力電圧が設定した電圧範囲内であれば、プロジェクタの外部からの映像信号の画像データであるＰＩＣＴＵＲＥ＿Ｃを画像表示部Ｂ１９に送っている。一方、入力電圧が設定した電圧範囲外のときには条件に応じて、プロジェクタの外部から入力される所定の画像データであるＰＩＣＴＵＲＥ＿Ｄ（テレビ放送の地震速報、使用者が設定した画像）を画像表示部Ｂ１９へ送信するか、または電源部Ｃ２０を待機状態に制御する。電源部Ｃ２０は電気回路に電力を供給するために備えられている。
【００９３】
なお、加速度検出器１、フィルタ２、制御部Ａ１８、電源部Ｃ２０の各々はプロジェクタ内部に備えられており、プロジェクタ内部であればどこに配置されても問題なく動作するため、制御部Ａ１８と同じ基板内に全てを一緒に配置することが可能である。また、加速度検出器１は、圧電型など加速度を検出するものであればいかなるものでもよいが、加速度を検出する方角を任意に設定して配置できない加速度検出器もある。
【００９４】
本発明の実施形態７では、制御部Ａ１８において入力される電圧と設定値の電圧とを比較した結果に応じて、様々な方法によって使用者などに知らせるようにすることを特徴としている。実施形態７ではその１つの例として、制御部Ａ１８が判定した結果に応じて実施形態１または実施形態５のいずれかの処理を行なっている。なお、本発明の実施形態７では、実施形態１と実施形態５との組み合わせについて記載したが、上記の他の実施形態に記載した構成を複数備えるようなプロジェクタとしてもよい。
【００９５】
図１４は、本発明の実施形態７によるプロジェクタにおける動作処理のフローチャートである。図１４に示される記号について説明する。Ｖ０、Ｖ１、Ｔ０、Ｔ１については実施形態１における説明と同様であり、ＰＩＣＴＵＲＥ＿Ｃ、ＰＩＣＴＵＲＥ＿Ｄについては実施形態５と同様である。Ｖ２は外部からプロジェクタに振動が加えられてもプロジェクタの誤動作、故障、破壊から保証される電圧Ｖ０の範囲であるがＶ１よりは広い。すなわち、Ｖ１とＶ２との関係は、Ｖ１＜Ｖ２である。
【００９６】
次に、本発明の実施形態７の全体の動作処理について説明する。
【００９７】
ステップＳ７００で、プロジェクタに電源が供給されて処理が開始される。
【００９８】
ステップＳ７０１では、制御部Ａ１８においてＴ０＝０の初期設定が行なわれ、ステップＳ７０２に移行する。
【００９９】
ステップＳ７０２では、制御部Ａ１８が画像データであるＰＩＣＴＵＲＥ＿Ｃを画送表示部Ｂ１９に送る。
【０１００】
ステップＳ７０３では、画像表示部Ｂ１９が制御部Ａ１８から入力されたＰＩＣＴＵＲＥ＿Ｃをスクリーンに投写してステップＳ７０４に移行する。
【０１０１】
ステップＳ７０４では、制御部Ａ１８においてＴ０とＴ１とを比較し、Ｔ０≧Ｔ１の条件を満足しているかの判定を行なう。ステップＳ７０４で条件を満足していなければステップＳ７０５に移行して条件が満足するまで時間を加算していく。一方、ステップＳ７０４で条件を満足している場合はステップＳ７０６に移行する。
【０１０２】
ステップＳ７０６では、制御部Ａ１８においてＴ０＝０に設定する。すなわち、Ｔ０の時間をリセットしている。Ｔ０＝０の設定後、ステップＳ７０７に移行する。
【０１０３】
ステップＳ７０７では、制御部Ａ１８においてＶ０の測定を行なう。その後、測定したＶ０とＶ１との比較を行い、Ｖ０がＶ１の電圧範囲内であれば振動は小さいと判断してステップＳ７０４に移行する。一方、Ｖ０がＶ１の電圧範囲外であれば振動は大きいと判断してステップＳ７０８に移行する。
【０１０４】
ステップＳ７０８では、制御部Ａ１８において再度Ｖ０の測定を行なう。そして、測定したＶ０とＶ２との比較を行い、Ｖ０がＶ２の電圧範囲内であればステップＳ７１２に移行し、Ｖ０がＶ２の電圧範囲外であればステップＳ７０９に移行する。
【０１０５】
ステップＳ７０９では、電源部Ｃ２０が待機状態になるように制御部Ａ１８から信号が送られ、ステップＳ７１０で電源部Ｃ２０が待機状態になり、ステップＳ７１１で処理が終了する。
【０１０６】
一方、ステップＳ７１２において、制御部Ａ１８はＰＩＣＴＵＲＥ＿Ｃの代わりにＰＩＣＴＵＲＥ＿Ｄの画像データを画像表示部Ｂ１９に送られ、ステップＳ７１３で画像表示部Ｂ１９が制御部Ａ１８から受け取ったＰＩＣＴＵＲＥ＿Ｄの画像データをスクリーンに投写して、ステップＳ７１１で処理が終了する。
【０１０７】
以上のことから、加速度検出器１による検出結果に応じて、外部から入力される所定の画像データ（テレビ放送の地震速報、使用者が設定した画像）を画像表示部Ｂ１９に表示させるか、または電源部Ａ１８を待機状態にするように制御する安全動作を画像表示部Ｂ１９または電源部Ｃ２０が実行することによって、例えば公共の場でプロジェクタを使用することによる映像公開（映画など）を視聴している観客、そして地震発生時に平常の状態ではなかった場合の使用者（視聴者および取扱者など）にとって、情報を早く得ることができるので避難の手助けとなる。また、火災や感電などの危険から使用者（視聴者および取扱者）を保護することが可能となる。
【図面の簡単な説明】
【０１０８】
【図１】本発明の実施形態１による、スクリーン等の被投写体に映像を投写するプロジェクタの概略ブロック図である。
【図２】本発明の実施形態１によるプロジェクタにおける動作処理のフローチャートである。
【図３】本発明の実施形態２による、スクリーン等の被投写体に映像を投写するプロジェクタの概略ブロック図である。
【図４】本発明の実施形態２によるプロジェクタにおける動作処理のフローチャートである。
【図５】本発明の実施形態３による、スクリーン等の被投写体に映像を投写するプロジェクタの概略ブロック図である。
【図６】本発明の実施形態３によるプロジェクタにおける動作処理のフローチャートである。
【図７】本発明の実施形態４による、スクリーン等の被投写体に映像を投写するプロジェクタの概略ブロック図である。
【図８】本発明の実施形態４によるプロジェクタにおける動作処理のフローチャートである。
【図９】本発明の実施形態５による、スクリーン等の被投写体に映像を投写するプロジェクタの概略ブロック図である。
【図１０】本発明の実施形態５によるプロジェクタにおける動作処理のフローチャートである。
【図１１】本発明の実施形態６による、スクリーン等の被投写体に映像を投写するプロジェクタの概略ブロック図である。
【図１２】本発明の実施形態６によるプロジェクタにおける動作処理のフローチャートである。
【図１３】本発明の実施形態７による、スクリーン等の被投写体に映像を投写するプロジェクタの概略ブロック図である。
【図１４】本発明の実施形態７によるプロジェクタにおける動作処理のフローチャートである。
【図１５】キーストン補正の原理説明図である。
【図１６】本発明の実施形態によるプロジェクタの構成図である。
【符号の説明】
【０１０９】
１  加速度検出器、２  フィルタ、３  電源制御部、４  電源部、５  ランプ電源制御部、６  ランプ電源部、７  光源用ランプ、８  電源制御部Ａ、９  電源部Ａ、１０  画像制御部、１１  画像表示部、１２  画像制御部Ａ、１３  画像表示部Ａ、１４  ＰＩＣＴＵＲＥ＿Ｃ、１５  ＰＩＣＴＵＲＥ＿Ｄ、１６  制御部、１７  製品動作表示部、１８  制御部Ａ、１９  画像表示部Ｂ、２０  電源部Ｃ、２１  投写角度をつけた後にスクリーンへ投写された映像、２２  投写角度をつける前にスクリーンへ投写された映像、２３  投写角度、２４  プロジェクタ。
【図１】
2008180837.tif 000003
【図２】
2008180837.tif 000004
【図３】
2008180837.tif 000005
【図４】
2008180837.tif 000006
【図５】
2008180837.tif 000007
【図６】
2008180837.tif 000008
【図７】
2008180837.tif 000009
【図８】
2008180837.tif 000010
【図９】
2008180837.tif 000011
【図１０】
2008180837.tif 000012
【図１１】
2008180837.tif 000013
【図１２】
2008180837.tif 000014
【図１３】
2008180837.tif 000015
【図１４】
2008180837.tif 000016
【図１５】
2008180837.tif 000017
【図１６】
2008180837.tif 000018